(57)【要約】【課題】  薄型化を確保した上で音圧の向上を図る。【解決手段】  振動源として機能するアクチュエーター３、３と、アクチュエーターに連結された振動伝達部材４、４、・・・と、振動伝達部材を挟んで厚み方向において対向し振動伝達部材に接した状態で配置された二つの平板状の振動板２、２とを設け、アクチュエーターにおいて生じた振動が振動伝達部材を介して二つの振動板にそれぞれ伝達されて音声が出力されるようにした。このような構成にすることにより、アクチュエーターにおいて発生した振動が振動伝達部材を挟んで対向して配置された二つの振動板に同時に伝達され、薄型化を確保した上で音圧の向上を図ることができる。【選択図】        図１
2012105021.tif 000002
【特許請求の範囲】
【請求項１】
振動源として機能するアクチュエーターと、
前記アクチュエーターに連結された振動伝達部材と、
前記振動伝達部材を挟んで厚み方向において対向し前記振動伝達部材に接した状態で配置された二つの平板状の振動板とを備え、
前記アクチュエーターにおいて生じた振動が前記振動伝達部材を介して前記二つの振動板にそれぞれ伝達されて音声が出力されるようにした
スピーカー装置。
【請求項２】
前記振動伝達部材が前記振動板の厚み方向に直交する方向へ延びる線状に形成され、
前記二つの振動板がそれぞれ前記振動伝達部材の外周面に接した
請求項１に記載のスピーカー装置。
【請求項３】
前記二つの振動板の外周部がそれぞれ前記振動伝達部材に接した
請求項２に記載のスピーカー装置。
【請求項４】
前記アクチュエーターが複数設けられ、
前記複数のアクチュエーターのうち二つのアクチュエーターが前記振動板の両側部に配置された
請求項３に記載のスピーカー装置。
【請求項５】
前記二つの振動板を異なる材料によって形成した
請求項１に記載のスピーカー装置。
【請求項６】
前記二つの振動板を異なる厚みに形成した
請求項１に記載のスピーカー装置。
【請求項７】
前記二つの振動板の少なくとも一方を透明材料によって形成した
請求項１に記載のスピーカー装置。
【請求項８】
前記二つの振動板の間に画像を表示する表示デバイス又は光を出射する光源デバイスが配置された
請求項７に記載のスピーカー装置。
【請求項９】
前記振動伝達部材が前記二つの振動板の外周部に沿って枠状に配置され、
前記二つの振動板が前記振動伝達部材に取り付けられて保持された
請求項１に記載のスピーカー装置。
【請求項１０】
前記アクチュエーターとして圧電アクチュエーターを用いた
請求項１に記載のスピーカー装置。
【請求項１１】
前記アクチュエーターとして磁歪アクチュエーターを用いた
請求項１に記載のスピーカー装置。
【請求項１２】
前記アクチュエーターとして動電アクチュエーターを用いた
請求項１に記載のスピーカー装置。
【発明の詳細な説明】
【技術分野】
【０００１】
本発明はスピーカー装置についての技術分野に関する。詳しくは、振動伝達部材を挟んで対向して配置された二つの振動板にアクチュエーターにおいて発生した振動を伝達して薄型化を確保した上で音圧の向上を図る技術分野に関する。
【背景技術】
【０００２】
アクチュエーターにおいて発生した振動を振動伝達部材を介して振動板に伝達させて音声を出力するようにしたスピーカー装置がある。アクチュエーターとしては、例えば、圧電アクチュエーターや磁歪アクチュエーター等が用いられ、振動伝達部材としては良好な振動伝達特性を有する材料が用いられ、振動板としては、例えば、アクリル等の樹脂材料が用いられている。
【０００３】
このようなスピーカー装置において、振動板に振動伝達部材を介してアクチュエーターにおいて発生した振動が伝達されると、振動が伝達された方向（加振方向）へ瞬時に粗密波が伝播され、この粗密波が伝播される過程において固体（振動板）が有するポワソン比により加振方向に直交する方向への力が生じる。加振方向に直交する方向への力が生じると、この力によって振動板に振動が生じ、振動板の全体から音波が発生して音声の出力が行われる。
【０００４】
従って、このような振動伝達部材や振動板を用いたスピーカー装置にあっては、振動板の何れの位置においても均一なレベルの音波が発生し、振動板の全体に亘って均一な音響特性を確保することが可能となる。
【０００５】
上記のようなスピーカー装置としては、円筒状の振動板の軸方向における一方の側にアクチュエーターが配置されて振動板の軸方向における一端面に振動伝達部材が接触され、振動板の軸方向における一端面に振動が伝達されて振動板から音声が出力されるように構成されたものがある（例えば、特許文献１参照）。
【０００６】
特許文献１に記載されたスピーカー装置においては、振動伝達部材に振動が伝達されると、振動板の軸方向へ瞬時に粗密波が伝播され、振動板が有するポワソン比により軸方向に直交する方向への力が生じて振動板に振動が生じ、振動板の全体から音波が発生して音声の出力が行われる。
【０００７】
【特許文献１】特開２００７−１６６０２７号公報
【発明の開示】
【発明が解決しようとする課題】
【０００８】
ところが、特許文献１に記載されたスピーカー装置にあっては、円筒状の振動板が用いられており、薄型化を図ることが困難であるという問題がある。
【０００９】
また、特許文献１に記載されたスピーカー装置において高い音圧を確保しようとすると、振動板や振動伝達部材等の数を増やす必要が生じ、その分、大型になり、薄型化に一層支障を来たしてしまうことになる。
【００１０】
そこで、本発明スピーカー装置は、上記した問題点を克服し、薄型化を確保した上で音圧の向上を図ることを課題とする。
【課題を解決するための手段】
【００１１】
スピーカー装置は、上記した課題を解決するために、振動源として機能するアクチュエーターと、前記アクチュエーターに連結された振動伝達部材と、前記振動伝達部材を挟んで厚み方向において対向し前記振動伝達部材に接した状態で配置された二つの平板状の振動板とを備え、前記アクチュエーターにおいて生じた振動が前記振動伝達部材を介して前記二つの振動板にそれぞれ伝達されて音声が出力されるようにしたものである。
【００１２】
従って、スピーカー装置にあっては、アクチュエーターにおいて発生した振動が振動伝達部材を挟んで対向して配置された二つの振動板に同時に伝達される。
【００１３】
上記したスピーカー装置においては、前記振動伝達部材が前記振動板の厚み方向に直交する方向へ延びる線状に形成され、前記二つの振動板がそれぞれ前記振動伝達部材の外周面に接することが望ましい。
【００１４】
振動伝達部材が振動板の厚み方向に直交する方向へ延びる線状に形成され、二つの振動板がそれぞれ振動伝達部材の外周面に接することにより、振動板の振動伝達部材に対する接触面積が大きくなる。
【００１５】
上記したスピーカー装置においては、前記二つの振動板の外周部がそれぞれ前記振動伝達部材に接することが望ましい。
【００１６】
二つの振動板の外周部がそれぞれ振動伝達部材に接することにより、振動板の振動伝達部材に対する位置が安定する。
【００１７】
上記したスピーカー装置においては、前記アクチュエーターが複数設けられ、前記複数のアクチュエーターのうち二つのアクチュエーターが前記振動板の両側部に配置されることが望ましい。
【００１８】
二つのアクチュエーターが振動板の両側部に配置されることにより、振動板に対するアクチュエーターの配置スペースにおけるスペース効率が向上する。
【００１９】
上記したスピーカー装置においては、前記二つの振動板を異なる材料によって形成することが望ましい。
【００２０】
二つの振動板を異なる材料によって形成することにより、二つの振動板から出力される音声帯域が異なる帯域とされる。
【００２１】
上記したスピーカー装置においては、前記二つの振動板を異なる厚みに形成することが望ましい。
【００２２】
二つの振動板を異なる厚みに形成することにより、二つの振動板から出力される音声帯域が異なる帯域とされる。
【００２３】
上記したスピーカー装置においては、前記二つの振動板の少なくとも一方を透明材料によって形成することが望ましい。
【００２４】
二つの振動板の少なくとも一方を透明材料によって形成することにより、振動板間に他のデバイスを配置したときに当該他のデバイスが外部から視認可能とされる。
【００２５】
上記したスピーカー装置においては、前記二つの振動板の間に画像を表示する表示デバイス又は光を出射する光源デバイスが配置されることが望ましい。
【００２６】
二つの振動板の間に画像を表示する表示デバイス又は光を出射する光源デバイスが配置されることにより、音声とそれ以外のものの出力が可能となる。
【００２７】
上記したスピーカー装置においては、前記振動伝達部材が前記二つの振動板の外周部に沿って枠状に配置され、前記二つの振動板が前記振動伝達部材に取り付けられて保持されることが望ましい。
【００２８】
振動伝達部材が二つの振動板の外周部に沿って枠状に配置され、二つの振動板が振動伝達部材に取り付けられて保持されることにより、振動板が振動伝達部材によって保持され、振動伝達部材が振動板を保持する保持手段として機能する。
【００２９】
上記したスピーカー装置においては、アクチュエーターとして圧電アクチュエーターを用いることが望ましい。
【００３０】
アクチュエーターとして圧電アクチュエーターを用いることにより、アクチュエーターが高出力とされる。
【００３１】
上記したスピーカー装置においては、前記アクチュエーターとして磁歪アクチュエーターを用いることが望ましい。
【００３２】
アクチュエーターとして磁歪アクチュエーターを用いることにより、アクチュエーターが高出力とされる。
【００３３】
上記したスピーカー装置においては、前記アクチュエーターとして動電アクチュエーターを用いることが望ましい。
【００３４】
アクチュエーターとして動電アクチュエーターを用いることにより、アクチュエーターが高出力とされる。
【発明の効果】
【００３５】
本発明スピーカー装置は、振動源として機能するアクチュエーターと、前記アクチュエーターに連結された振動伝達部材と、前記振動伝達部材を挟んで厚み方向において対向し前記振動伝達部材に接した状態で配置された二つの平板状の振動板とを備え、前記アクチュエーターにおいて生じた振動が前記振動伝達部材を介して前記二つの振動板にそれぞれ伝達されて音声が出力されるようにしている。
【００３６】
従って、二つの平板状の振動板が振動伝達部材を挟んで対向して配置された構成であるため、薄型化を確保した上で音圧の向上を図ることができる。
【００３７】
請求項２に記載した発明にあっては、前記振動伝達部材が前記振動板の厚み方向に直交する方向へ延びる線状に形成され、前記二つの振動板がそれぞれ前記振動伝達部材の外周面に接している。
【００３８】
従って、振動板の全体における音波の発生を簡素な構成により実現することができる。
【００３９】
請求項３に記載した発明にあっては、前記二つの振動板の外周部がそれぞれ前記振動伝達部材に接している。
【００４０】
従って、振動板の振動伝達部材に対する安定した取付状態を確保することができる。
【００４１】
請求項４に記載した発明にあっては、前記アクチュエーターが複数設けられ、前記複数のアクチュエーターのうち二つのアクチュエーターが前記振動板の両側部に配置されている。
【００４２】
従って、振動板に対するアクチュエーターの配置スペースにおけるスペース効率の向上を図った上で音圧の向上を図ることができる。
【００４３】
請求項５に記載した発明にあっては、前記二つの振動板を異なる材料によって形成している。
【００４４】
従って、二つの振動板から出力される音声帯域を異ならせることが可能であり、スピーカー装置における音声の周波数帯域の拡大を図ることができる。
【００４５】
請求項６に記載した発明にあっては、前記二つの振動板を異なる厚みに形成している。
【００４６】
従って、二つの振動板から出力される音声帯域を異ならせることが可能であり、スピーカー装置における音声の周波数帯域の拡大を図ることができる。
【００４７】
請求項７に記載した発明にあっては、前記二つの振動板の少なくとも一方を透明材料によって形成している。
【００４８】
従って、振動板間に、例えば、画像や光等の音声以外を出力するデバイスを配置することが可能となり、用途の拡大を図ることができる。
【００４９】
請求項８に記載した発明にあっては、前記二つの振動板の間に画像を表示する表示デバイス又は光を出射する光源デバイスが配置されている。
【００５０】
従って、画像を出力する表示装置又は光を出力する照明装置にも適用することが可能となる。
【００５１】
請求項９に記載した発明にあっては、前記振動伝達部材が前記二つの振動板の外周部に沿って枠状に配置され、前記二つの振動板が前記振動伝達部材に取り付けられて保持されている。
【００５２】
従って、厚みが薄いシート状の振動板を用いることができ、一層の薄型化を図ることができる。
【００５３】
請求項１０に記載した発明にあっては、前記アクチュエーターとして圧電アクチュエーターを用いている。
【００５４】
従って、圧電アクチュエーターの発生応力が大きいため、小型で高出力のアクチュエーターを構成することができる。
【００５５】
請求項１１に記載した発明にあっては、前記アクチュエーターとして磁歪アクチュエーターを用いている。
【００５６】
従って、小型で高出力のアクチュエーターを構成することができる。
【００５７】
請求項１２に記載した発明にあっては、前記アクチュエーターとして動電アクチュエーターを用いている。
【００５８】
従って、コストの低減を図った上で高出力のアクチュエーターを構成することができる。
【発明を実施するための最良の形態】
【００５９】
以下に、本発明スピーカー装置を実施するための最良の形態を添付図面に従って説明する。
【００６０】
以下に示した最良の形態は、振動伝達部材と振動伝達部材を挟んで対向して配置された二つの平板状の振動板とを有するスピーカー装置に係るものであり、以下の説明においては、振動板が向く方向（厚み方向）を前後方向として上下前後左右の方向を示す。
【００６１】
尚、以下に示す上下前後左右の方向は、説明の便宜上示すものであり、本発明はこれらの方向に限定して適用されることはない。
【００６２】
［全体構成］
スピーカー装置１は、振動板２、２とアクチュエーター３、３と振動伝達部材４、４、・・・を備えている（図１乃至図３参照）。
【００６３】
振動板２、２は前後方向において対向して配置され、それぞれ対向する面が対向面２ａ、２ａとして形成されている。振動板２は厚みが、例えば、０．３ｍｍのアクリル等の樹脂材料によって略矩形状に形成され、左右両側部にそれぞれ外方に開口された配置用切欠２ｂ、２ｂを有している。尚、振動板２には配置用切欠２ｂ、２ｂに代えて前後に貫通された配置孔が形成されていてもよい。
【００６４】
振動板２、２にはそれぞれホルダー５、５が配置用切欠２ｂ、２ｂ、・・・又は配置孔に配置された状態で取り付けられている。ホルダー５は前後に貫通された矩形の枠状に形成されている。
【００６５】
アクチュエーター３、３はそれぞれホルダー５、５に保持されている。アクチュエーター３としては、例えば、積層型の圧電素子を有する圧電アクチュエーターが用いられている。アクチュエーター３はホルダー５の内部に配置され、例えば、縦長の形状に形成され長手方向が振動の発生方向とされている。
【００６６】
アクチュエーター３、３は図示しない接続コードによって電源供給回路に接続されており、電源供給回路から通電が行われることによりアクチュエーター３、３が駆動されて振動が発生するようにされている。
【００６７】
振動伝達部材４、４、・・・は、例えば、ピアノ線等が用いられ、炭素繊維等によって上下方向へ延びる線状に形成されている。振動伝達部材４、４はそれぞれアクチュエーター３の上下両端に連結されている。振動伝達部材４、４、・・・の径は、例えば、１．５ｍｍ程度にされている。
【００６８】
上側に位置する振動伝達部材４は下端がアクチュエーター３の上端に連結され下端寄りの部分がホルダー５の上端部５ａを貫通されている（図４参照）。上側に位置する振動伝達部材４は下端寄りの部分がナット６、６によってホルダー５の上端部に固定されている。
【００６９】
下側に位置する振動伝達部材４は上端がアクチュエーター３の下端に連結され下端寄りの部分がホルダー５の下端部５ｂを貫通されている。
【００７０】
ホルダー５の下端部５ｂには付勢用ネジ７が螺合されている。付勢用ネジ７は上端部がアクチュエーター３の下面に下方から接触され、ホルダー５の下端部５ｂに捩じ込まれることにより上方へ変位されてアクチュエーター３の下面を下方から押圧し、アクチュエーター３を圧縮する方向へ付勢する機能を有している。アクチュエーター３には付勢用ネジ７によって予荷重が付与され、アクチュエーター３の振動の発生に関する動作の信頼性の向上及び音響特性の向上が図られる。
【００７１】
尚、付勢用ネジ７の内部に図示しない圧縮コイルバネを配置し付勢用ネジ７の上端部に圧縮コイルバネによって上方へ付勢される図示しないボール又はピンを配置し、ボール又はピンが付勢用ネジ７に対して上下方向へ変位可能な構成とすることもできる。このような構成を有する付勢用ネジ７を用いることにより、圧縮コイルバネの付勢力をボール又はピンを介してアクチュエーター３に付与し、アクチュエーター３を圧縮する方向へ付勢することが可能である。
【００７２】
振動伝達部材４、４、・・・の外周面にはそれぞれ振動板２、２の対向面２ａ、２ａの左右両端部が接触され、振動板２、２が、例えば、接着等によって振動伝達部材４、４、・・・に取り付けられている。この場合に接着剤の接着強度を高めるために、例えば、振動板２、２の対向面２ａ、２ａのうち振動伝達部材４、４、・・・が接触する部分の表面粗さを大きくしてもよい。
【００７３】
また、振動伝達部材４、４、・・・は振動板２、２の双方に振動を伝達することが可能な構成であれば一部又は全部が振動板２、２に埋め込まれた状態とされていてもよい。また、アクチュエーター３、３、振動伝達部材４、４、・・・及びホルダー５、５が振動板２、２に埋め込まれるようにすることも可能であり、この場合には、例えば、金型のキャビティーに振動伝達部材４、４、・・・等を配置しキャビティーに溶融樹脂を充填して一体成形する所謂インサート成形を用いることも可能である。
【００７４】
アクチュエーター３、３が積層型の圧電素子を有する圧電アクチュエーターである場合には、圧電アクチュエーターの発生応力が数百ニュートンと大きいため、アクチュエーター３、３が振動板２、２に埋め込まれた場合でも振動板２、２の動作に支障を来たすことがない。
【００７５】
尚、ホルダー５、５が振動板２、２に埋め込まれる場合には、両者の良好な接合状態を確保するために、ホルダー５、５を振動板２、２と同じ材料で形成することが望ましい。
【００７６】
［スピーカー装置の動作］
以下に、スピーカー装置１の動作について説明する。
【００７７】
スピーカー装置１において、アクチュエーター３、３に通電が行われて振動が発生すると、発生した振動が振動伝達部材４、４、・・・に伝達され瞬時に粗密波が伝播される。粗密波が伝播される過程において振動板２、２が有するポワソン比により振動伝達部材４、４、・・・における振動の伝達方向に直交する方向（左右方向）への力が振動板２、２に生じ、この力によって振動板２、２に振動が生じて振動板２、２の全体から音波が発生して音声の出力が行われる。
【００７８】
このときスピーカー装置１にあっては、振動板２、２の何れの位置においても均一なレベルの音波が発生し、振動板２、２の全体に亘って均一な音響特性が確保される。
【００７９】
［まとめ］
以上に記載した通り、スピーカー装置１は、振動伝達部材４、４、・・・を挟んで対向して配置された二つの平板状の振動板２、２を備え、アクチュエーター３、３において生じた振動が振動伝達部材４、４、・・・を介して振動板２、２に伝達されて音声が出力されるように構成されている。
【００８０】
従って、二つの平板状の振動板２、２が振動伝達部材４、４、・・・を挟んで対向して配置された構成であるため、薄型化を確保した上で音圧の向上を図ることができる。特に、振動板２、２に対して共通の振動伝達部材４、４、・・・が配置されているため、振動板２、２に対してそれぞれ専用の振動伝達部材４、４、・・・を配置する必要がなく、部品点数の削減及び薄型化を簡素な構成により図ることができる。
【００８１】
また、振動伝達部材４、４、・・・が上下方向へ延びる線状に形成され、振動板２、２がそれぞれ振動伝達部材４、４、・・・の外周面に接した状態とされているため、振動板２、２の全体における音波の発生を簡素な構成により実現することができる。
【００８２】
さらに、振動板２、２の外周部が振動伝達部材４、４、・・・に接した構造とされているため、振動板２、２の振動伝達部材４、４、・・・に対する安定した取付状態を確保することができる。
【００８３】
加えて、スピーカー装置１にあっては、二つのアクチュエーター３、３がそれぞれ振動板２、２の左右両側部に配置されているため、振動板２、２に対するアクチュエーター３、３の配置スペースにおけるスペース効率の向上を図った上で音圧の向上を図ることができる。
【００８４】
尚、スピーカー装置１においては、二つの振動板２、２を有しており、これらの二つの振動板２、２の材料や厚みを異なるようにすることも可能である。二つの振動板２、２の材料や厚みが異なることにより、二つの振動板２、２から出力される音声帯域を異ならせることが可能であり、スピーカー装置１における音声の周波数帯域の拡大を図ることができる。
【００８５】
振動板２、２の材料としては、例えば、アクリルの他にＡＢＳ（acrylonitrile butadiene styrene）共重合体等の樹脂材料を用いることが可能である。また、振動板２、２の厚みに関しては、厚みを変えることにより周波数特性を変化させることが可能であり、トータル（異なる厚み）で周波数範囲を拡大することができる。
【００８６】
［スピーカー装置の他の構成］
以下に、スピーカー装置の他の構成について説明する（図５乃至図８参照）。
【００８７】
スピーカー装置１Ａは数なくとも前側に配置された振動板２が透明材料によって形成され、振動板２、２間に、例えば、表示デバイス（ディスプレイ）８又は光源デバイスが配置されている（図５及び図６参照）。表示デバイス８としては、例えば、有機エレクトロルミネッセンスディスプレイ、液晶ディスプレイ、プラズマディスプレイ等が用いられる。
【００８８】
表示デバイス８は厚みが振動伝達部材４、４、・・・の径より小さくされている。振動伝達部材４、４、・・・の直径は、例えば、１．５ｍｍとされ、表示デバイス８の厚みは１．５ｍｍ未満にされている。
【００８９】
ホルダー５、５間には板状の取付ベース９が取り付けられており、取付ベース９の前面に表示デバイス８が取り付けられている。取付ベース９の後面と後側に配置された振動板２の前面との間には僅かな隙間が形成され、表示デバイス８の前面と前側に配置された振動板２の後面との間には僅かな隙間が形成されている。
【００９０】
このように表示デバイス８は振動板２、２と接触されておらず、振動板２、２に伝達される振動が表示デバイス８からの画像の出力に対して影響せず、また、表示デバイス８が振動板２、２から出力される音声に影響しないように構成されている。
【００９１】
このようにスピーカー装置１Ａにあっては、少なくとも一方の振動板２を透明材料によって形成することにより、振動板２、２間に、例えば、画像や光等の音声以外を出力するデバイスを配置することが可能となり、用途の拡大を図ることができる。
【００９２】
また、振動板２、２間に表示デバイス８又は光源デバイスを配置することにより、音声とそれ以外のものの出力が可能となり、画像を出力する表示装置又は光を出力する照明装置にも適用することが可能となる。
【００９３】
尚、振動板２、２間に表示デバイス８又は光源デバイスを配置したときには、後側に配置された振動板２は透明材料以外の材料によって形成することも可能であり、後側に配置される振動板２の材料選択の自由度を向上させることができる。
【００９４】
スピーカー装置１Ｂは振動伝達部材４Ｂ、４Ｂ、・・・を有している（図７及び図８参照）。
【００９５】
振動伝達部材４Ｂは上下方向に延びる第１の部分４ａと第１の部分４ａの先端から直交する方向へ折り曲げられ左右方向へ延びる第２の部分４ｂとが連続して成る。
【００９６】
スピーカー装置１Ｂにおいては、振動伝達部材４Ｂ、４Ｂ、・・・によって枠部が構成され、振動伝達部材４Ｂ、４Ｂ、・・・にそれぞれ振動板２、２の外周部が取り付けられている。
【００９７】
このようにスピーカー装置１Ｂにあっては、全体として枠状に形成された振動伝達部材４Ｂ、４Ｂ、・・・に振動板２、２の外周部が取り付けられ、振動板２、２が振動伝達部材４Ｂ、４Ｂ、・・・によって保持され、振動伝達部材４Ｂ、４Ｂ、・・・が振動板２、２を保持する保持手段として機能する。
【００９８】
従って、スピーカー装置１Ｂにおいては、例えば、厚みが０．１ｍｍ程度と薄いシート状の振動板２、２を用いることができ、一層の薄型化を図ることができる。
【００９９】
尚、スピーカー装置１Ｂにあっては、振動伝達部材４Ｂ、４Ｂの左右に位置する第２の部分４ｂ、４ｂ間に隙間が形成されず両者が連続して形成されていてもよい。
【０１００】
また、アクチュエーター３において発生した振動が振動伝達部材４Ｂの第１の部分４ａから第２の部分４ｂへ伝達されるが、第２の部分４ｂは第１の部分４ａに対して９０°屈曲されているため、屈曲部分において振動が減衰され第２の部分４ｂに伝達される振動の振幅は第１の部分４ａよりも小さくなる。従って、第２の部分４ｂを介して振動板２に伝達される振動の振幅は小さく、第２の部分４ｂを介して振動板２に伝達される振動による第１の部分４ａを介して振動板２に伝達される振動に対する干渉の影響は小さい。
【０１０１】
［その他］
上記には、アクチュエーター３、３として圧電素子を有する圧電アクチュエーターを用いた例を示したが、アクチュエーター３、３は圧電アクチュエーターに限られることはなく、例えば、アクチュエーター３、３として磁歪素子を有する磁歪アクチュエーターや動電アクチュエーターを用いることも可能である。
【０１０２】
アクチュエーター３、３として磁歪アクチュエーターを用いることにより小型で高出力のアクチュエーター３、３を構成することができ、アクチュエーター３、３として動電アクチュエーターを用いることによりコストの低減を図った上で高出力のアクチュエーター３、３を構成することができる。
【０１０３】
尚、上記には、二つのアクチュエーター３、３が配置された例を示したが、アクチュエーター３の数は二つに限られることはなく、三つ以上配置されていても。三つ以上のアクチュエーター３、３、・・・が配置される場合には、アクチュエーター３、３、・・・の配置位置は振動板２、２の外周部における何れの位置に配置されていてもよい。
【０１０４】
また、例えば、三つのアクチュエーター３、３、３を配置する場合には、各アクチュエーター３、３、３をＬ（左）チャンネル用、Ｒ（右）チャンネル用、センターチャンネル用とすることが可能である。
【０１０５】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０６】
【図１】図２乃至図８と共に本発明の実施の形態を示すものであり、本図は、スピーカー装置の斜視図である。
【図２】スピーカー装置の正面図である。
【図３】図２のＩＩＩ−ＩＩＩ線に沿う断面図である。
【図４】アクチュエーターの拡大正面図である。
【図５】図６と共に二つの振動板間に表示デバイスが配置されたスピーカー装置の例を示すものであり、本図は、正面図である。
【図６】図５のＶＩ−ＶＩ線に沿う拡大断面図である。
【図７】図８と共に振動伝達部材に振動板が保持されたスピーカー装置の例を示すものであり、本図は、正面図である。
【図８】図７のＶＩＩＩ−ＶＩＩＩ線に沿う拡大断面図である。
【符号の説明】
【０１０７】
１…スピーカー装置、２…振動板、３…アクチュエーター、４…振動伝達部材、１Ａ…スピーカー装置、８…表示デバイス、１Ｂ…スピーカー装置、４Ｂ…振動伝達部材
【図１】
2012105021.tif 000003
【図２】
2012105021.tif 000004
【図３】
2012105021.tif 000005
【図４】
2012105021.tif 000006
【図５】
2012105021.tif 000007
【図６】
2012105021.tif 000008
【図７】
2012105021.tif 000009
【図８】
2012105021.tif 000010